(57)【要約】【課題】  船釣り等において釣竿を固定するための釣竿受具を船縁等の取付箇所の構造や形状に応じて、素早く的確に取り付けることができる釣竿受具用ホルダーを提供する。【解決手段】  釣竿受具用ホルダー(A)は保持体(1)を有し、保持体(1)は、挟持板(110)を有する上部保持体(11)と取付部材(124)を有する下部保持体(12)で構成されている。上部保持体(11)と下部保持体(12)は、挟持板(110)と取付部材(124)の間隔が拡縮する方向へ相互にスライド可能で、ロック部(R)によって所要のスライド位置で固定できる。取付部材(124)には先端部と挟持板(110)の間の距離が調節可能な螺子杆(2)が螺合して設けてある。取付部材(124)の螺子孔(127,144)は割りナット構造で開閉可能であり、閉じた状態での固定ができる。【選択図】        図１
2006101846.tif 000002
【特許請求の範囲】
【請求項１】
釣竿受具または釣竿受具を取り付ける取付手段を有する釣竿受具用ホルダーであって、
向かい合う挟持要素(11)(12,2)が協働して被挟持物を挟持する構成を有し、少なくとも挟持要素の一方は螺子杆(2)によって進退するものであり、
螺子杆(2)は内面に雌螺子(127)が設けてある螺子杆保持部(124,127,14,144)に保持してあり、螺子杆保持部(124,127,14,144)は軸方向に分割されて固定部(124)と可動部(14)を構成し、可動部(14)を開いて螺子杆(2)の保持状態を解除したときは螺子杆(2)は螺子構造の制約を受けずに進退することができ、可動部(14)を閉じて螺子杆(2)を保持したときは螺子構造の制約を受けて進退するように構成したことを特徴とする、
釣竿受具用ホルダー。
【請求項２】
釣竿受具または釣竿受具を取り付ける取付手段を有する釣竿受具用ホルダーであって、
連結された一対の保持体(11,12)を有しており、一方の保持体(12)に設けてあり外面に雄螺子が設けてある螺子杆(2)と、他方の保持体(11)が協働して被挟持部を挟持できるようにしてあり、各保持体(11,12)は連結部において挟持方向へ摺動して進退できるようにしてあり、
螺子杆(2)は内面に雌螺子(127)が設けてある螺子杆保持部(124,127,14,144)に保持してあり、螺子杆保持部(124,127,14,144)は軸方向に分割されて固定部(124)と可動部(14)を構成し、可動部(14)を開いて螺子杆(2)の保持状態を解除したときは螺子杆(2)は螺子構造の制約を受けずに進退することができ、可動部(14)を閉じて螺子杆(2)を保持したときは螺子構造の制約を受けて進退するように構成したことを特徴とする、
釣竿受具用ホルダー。
【請求項３】
釣竿受具を取り付ける取付手段は、取付方向の異なる複数箇所に設けてあることを特徴とする、
請求項１または２記載の釣竿受具用ホルダー。
【請求項４】
釣竿受具を取り付ける取付手段は、釣竿受具の取り付け高さまたは水平位置を調節できるよう構成されていることを特徴とする、
請求項１、２または３記載の釣竿受具用ホルダー。
【発明の詳細な説明】
【技術分野】
【０００１】
本発明は釣竿受具用ホルダーに関するものである。更に詳しくは、例えば船釣りにおいて使用され、釣竿を固定するための釣竿受具を、船縁等の取付箇所の構造や形状に応じて、素早く的確に取り付けることができるものに関する。
【背景技術】
【０００２】
釣竿を所要箇所において保持するためのホルダーとしては、特許文献１に開示されたものがある。特許文献１には、角状パイプを挿通させて取り付けられた上下の挟持部を有するクランプが開示されている。上下の挟持部は、ピンによって上下位置の変更が可能であり、挟持部の間隔を船縁の厚みや形状に応じて調整することはできるが、上下位置の変更をしても締め込み部によって締め込まなければならない。また、その際、締め込みのストロークを短くするために木材等をスペーサとして挟むこともあった。
【０００３】
【特許文献１】特開２００２−２３８４２９
【発明の開示】
【発明が解決しようとする課題】
【０００４】
上記特許文献１に記載されたホルダーには、次のような課題があった。
すなわち、締め込み部を締め込んだり緩めるときに長いストロークが必要な場合は、締付用ボルトを回転させるために相当な時間を要する。ところが、海上で釣りを行う場合の作業は、危険防止などの観点から全ての点において迅速性が要求され、ホルダーの設置にしても例外ではない。
【０００５】
特許文献１のホルダーの場合、クランプの上下の位置決め位置の間隔を大きくすると締め込み部の締め込みストロークを大きくしなければならず、小さくするとその選定に迷うなどの課題があった。また、木材等をスペーサとして使用する場合、木材を携帯しなければならない面倒もあった。
【０００６】
更には、一般的な釣り船は船内も狭く、内部に出っ張りがあると、動きときに体が当たって怪我をしたりする。従って、船の内方にはできるだけ出っ張り部分がない方がよい。特に海が荒れたときには体も不安定になり、船内で動き回るときは怪我をしやすくなる。
しかし、上記クランプは角状パイプの分だけ、内側に出っ張っているために、怪我防止の観点からは好ましくなかった。
【０００７】
（本発明の目的）
本発明の目的は、例えば船釣りにおいて使用する場合、釣竿を固定するための釣竿受具を、スペーサ等を使用しないでも、船縁等の取付箇所の構造や形状に応じて素早く的確に取り付けることができる釣竿受具用ホルダーを提供することである。
【０００８】
また、本発明の他の目的は、更に船の内方に出っ張り部分が極力ないようにして、使用者が船内で動き回っても怪我をしにくく、安全に使用できる釣竿受具用ホルダーを提供することである。
【課題を解決するための手段】
【０００９】
上記課題を解決するために本発明が講じた手段は次のとおりである。
第１の発明にあっては、
釣竿受具または釣竿受具を取り付ける取付手段を有する釣竿受具用ホルダーであって、
向かい合う挟持要素が協働して被挟持物を挟持する構成を有し、少なくとも挟持要素の一方は螺子杆によって進退するものであり、
螺子杆は内面に雌螺子が設けてある螺子杆保持部に保持してあり、螺子杆保持部は軸方向に分割されて固定部と可動部を構成し、可動部を開いて螺子杆の保持状態を解除したときは螺子杆は螺子構造の制約を受けずに進退することができ、可動部を閉じて螺子杆を保持したときは螺子構造の制約を受けて進退するように構成したことを特徴とする、
釣竿受具用ホルダーである。
【００１０】
第２の発明にあっては、
釣竿受具または釣竿受具を取り付ける取付手段を有する釣竿受具用ホルダーであって、
連結された一対の保持体を有しており、一方の保持体に設けてあり外面に雄螺子が設けてある螺子杆と、他方の保持体が協働して被挟持部を挟持できるようにしてあり、各保持体は連結部において挟持方向へ摺動して進退できるようにしてあり、
螺子杆は内面に雌螺子が設けてある螺子杆保持部に保持してあり、螺子杆保持部は軸方向に分割されて固定部と可動部を構成し、可動部を開いて螺子杆の保持状態を解除したときは螺子杆は螺子構造の制約を受けずに進退することができ、可動部を閉じて螺子杆を保持したときは螺子構造の制約を受けて進退するように構成したことを特徴とする、
釣竿受具用ホルダーである。
【００１１】
第３の発明にあっては、
釣竿受具を取り付ける取付手段は、取付方向の異なる複数箇所に設けてあることを特徴とする、
第１または第２の発明に係る釣竿受具用ホルダーである。
【００１２】
第４の発明にあっては、
釣竿受具を取り付ける取付手段は、釣竿受具の取り付け高さまたは水平位置を調節できるよう構成されていることを特徴とする、
第１、第２または第３の発明に係る釣竿受具用ホルダーである。
【００１３】
（作用）
本発明に係る釣竿受具用ホルダーの作用を説明する。なお、ここでは、本発明の各構成要件のそれぞれに、後述する実施の形態において各部に付与した符号を対応させて付与し説明するが、この符号の付与は、あくまで説明の理解を助けるためであって、各構成要件の上記各部への限定を意味するものではない。
【００１４】
本発明に係る釣竿受具用ホルダー(A)を、船縁(4)等に取り付ける場合には、次のような手順で行う。
まず、取付手段(111,116)により釣竿受具(3)を取り付ける。釣竿受具(3)は保持体(1)と一体に設けてある場合もある。釣竿受具(3)は、釣竿受具用ホルダー(A)を取付箇所に取り付けた後で固定することもできる。
【００１５】
螺子杆(2)を回して、挟持要素の一方(24)を取付箇所の表面に押し付け、先端部(24)と他方の挟持要素で取付箇所の厚み部分をきつく挟むようにして釣竿受具用ホルダー(A)を取り付ける。
また、一対の保持体を挟持方向へスライドにより進退できるようにして組み合わせてあるものは、まず船縁(4)の取付箇所の厚さに合わせて各保持体の間隔を調節する。通常は、取付箇所の厚さより、各保持体の間隔を余裕をもって拡げて間隔を固定する。
そして、螺子杆(2)を回して、例えばその先端部(24)を取付箇所の表面に押し付け、先端部(24)と他方の保持体とで取付箇所の厚み部分をきつく挟むようにして釣竿受具用ホルダー(A)を取り付ける。
【００１６】
また、この場合、各保持体の間隔を調節する手間を省いて、その間隔が取付箇所の厚さより相当に広いままでも、螺子杆で素早く的確に締め付けて取り付けることができる。
例えば螺子杆(2)の挟持部である先端部(24)の位置が取付箇所の表面とかなり離れていると、締付位置までに締付方向の長いストロークを要するため、螺子杆(2)をより多く回さなければならず、締め付けに時間がかかる。このような場合は、螺子杆保持部の可動部を開いて螺子杆(2)を外して締付方向（長手方向）へ動かし、例えば螺子杆(2)の先端部(24)を取付箇所の表面に当てる。そして、可動部を閉じて固定し、螺子杆(2)を螺合状態で保持し、螺子杆(2)を回して締め付ける。
【００１７】
また、各保持体は連結部において挟持方向へ摺動して進退できるようにしてあるので、特許文献１に開示されたホルダーとは相違して、クランプに角状パイプのような支柱部分は必要ない構造である。従って、例えばホルダーを船縁に取り付けたときに、船の内方へ出っ張る部分を小さくすることができるので、使用者が船内で動き回っても怪我をしにくく、安全に使用できる。
【００１８】
釣竿受具を取り付ける取付手段(111,116)が取付方向の異なる複数箇所に設けてあるものでは、まず釣竿受具用ホルダー(A)の取り付けを船縁(4)の構造や形状に適した方向で確実に行う。そして、取り付けられた釣竿受具用ホルダー(A)の方向（向き）に応じて釣竿受具(3)の取付方向を選択し、取り付けることができるので、釣竿受具用ホルダー(A)の取付方向を選ばない。
【００１９】
釣竿受具を取り付ける取付手段(111,116)は、釣竿受具の取り付け高さまたは前後位置を調節できるよう構成されているものは、使用者の立ち座りの姿勢や身長または体格に合わせて、釣竿受具の高さまたは水平位置を調節することができるので、楽な姿勢で釣りができる。
【発明の効果】
【００２０】
（ａ）本発明に係る釣竿受具用ホルダーによれば、例えば螺子杆の先端部の位置が取付箇所の表面とかなり離れており、螺子杆を回すだけでは締め付けに時間がかかる場合でも、螺子杆保持部の可動部を開いて螺子杆を外して締付方向（長手方向）へ動かし、例えば螺子杆の先端部を取付箇所の表面に当て、可動部を閉じて固定し、螺子杆を螺合状態で保持し、螺子杆を回して締め付けるようにすれば、素早く的確に取り付けることができる。また、釣りが終われば素早く分解して船縁等から取り外すことができ、支度が楽にできる。
【００２１】
（ｂ）一対の保持体を挟持方向へスライドにより進退できるようにして組み合わせてあるものは、取付箇所の厚さに合わせて各保持体の間隔を調節することができるので、この方法と、前記螺子杆保持部の可動部を開いて螺子杆を外して締付方向（長手方向）へ動かして締付時間を短縮する方法を選択的にまたは併用して取り付けを行うことにより、取付箇所の構造や形状等、状況の違いに応じて、より的確で素早い作業が可能になる。
また、各保持体は連結部において挟持方向へ摺動して進退できるようにしてあるので、特許文献１に開示されたホルダーとは相違して、クランプに角状パイプのような支柱部分は必要ない構造である。従って、例えばホルダーを船縁に取り付けたときに、船の内方へ出っ張る部分を小さくすることができるので、使用者が船内で動き回っても怪我をしにくく、安全に使用できる。
【００２２】
（ｃ）釣竿受具を取り付ける取付手段が取付方向の異なる複数箇所に設けてあるものは、まず釣竿受具用ホルダーの取り付けを取付箇所の構造や形状に適した方向で確実に行い、その後で釣竿受具用ホルダーの方向（向き）に応じて釣竿受具の取付方向を選択することができるので、釣竿受具用ホルダー自体の取付方向が釣竿受具の取付方向に制約を受けることはなく、取り付けの自由度が高い。
【００２３】
（ｄ）釣竿受具を取り付ける取付手段が釣竿受具の取り付け高さまたは水平位置を調節できるよう構成されているものは、使用者の立ち座りの姿勢や身長または体格に合わせて、釣竿受具の高さまたは水平位置を調節することができる。
これにより、使用者（釣人）は釣りの対象魚に合わせて（すなわち、頻繁にかかる魚であれば使用者は立ったままなので高い位置に取り付け、かかりにくい魚であれば座る時間が長くなるので低い位置に取り付ける等）楽な姿勢で釣りができるので、長時間の釣りをしても疲れにくい。また、釣竿受具の取り付け高さまたは水平位置を調節できることで、釣竿に取り付けられている電動リールのスイッチレバーやハンドルに手がかかりやすいように釣竿のセッテイングができ、使用者は魚の引き等に合わせて確実に操作できる。
【発明を実施するための最良の形態】
【００２４】
本発明を図面に示した実施例に基づき詳細に説明する。
図１は本発明に係る釣竿受具用ホルダーの一実施の形態を示す正面側から見た分解斜視図、
図２は釣竿受具用ホルダーの背面側から見た分解斜視図、
図３はロック部の構造を示す部分断面説明図である。
【実施例】
【００２５】
釣竿受具用ホルダーＡは、例えば船釣りにおいて、釣竿５を装着する釣竿受具３を船縁４に取り付けるために使用される。なお、釣竿受具３の代わりに他の器具、道具等を取り付けることも可能である。釣竿受具用ホルダーＡを構成する各部材の材質はステンレススチール製である。なお、各部材の材質は、上記に限定されるものではなく、強度や防錆性等に問題がなければ、アルミニウム等、他の金属材料を採用することもできる。
【００２６】
釣竿受具用ホルダーＡは、組み合わせ時において側面視ほぼ「コ」字状となる組み保持具１（後述する図４、図５も併せて参照）と、螺子杆２で構成されている。
組み保持具１は、側面視でほぼ逆「Ｌ」字状の上部保持体１１と、「Ｌ」字状の下部保持体１２で構成されており、前記のようにこれらを組み合わせて側面視ほぼ「コ」字状となる。なお、上部保持体１１は一方の挟持要素を構成し、下部挟持体１２と螺子杆２は他方の挟持要素を構成する。
【００２７】
上部保持体１１は、取付箇所を挟む挟持部となる挟持板１１０を有している。挟持板１１０は長方形状に形成されている。挟持板１１０には、釣竿受具３を構成する取付台３０を螺子（符号省略）で取り付けるための螺子孔１１１が四箇所に貫通して設けてある。
【００２８】
挟持板１１０の幅方向両端側の後部には、案内部材１１２が挟持板１１０と直角に設けてある。挟持板１１０の両外端縁部には、それぞれ補強用のリブ１１３が案内部材１１２にかけて挟持板１１０と直角に所要の立ち上がり幅で設けてある。なお、挟持板１１０の下面側にはリブ１１３は突出していない。
【００２９】
各案内部材１１２は、前側に設けてある内案内体１１４と後側に設けてある外案内体１１４ａで構成されている。内案内体１１４と外案内体１１４ａの間には案内溝１１５がほぼ全長にわたり形成されている。内案内体１１４と外側（後側）に設けてある外案内体１１４ａの内端部は、全長にわたり内案内体１１４より内側へ突出して設けてある。
【００３０】
各外案内体１１４ａの上部側は、下部側よりやや肉厚に形成されており、肉厚部分には、前記螺子孔１１１と同様、取付台３０を螺子で取り付けるための螺子孔１１６がそれぞれ二箇所ずつ合計四箇所に貫通して設けてある。
また、各案内部材１１２の下端寄りには、後述する下部保持体１２を固定する手段となるロック部Ｒが設けてある。
【００３１】
ロック部Ｒは次のように構成されている。
各外案内体１１４ａには、ロック台１１７が後方へ突出して設けてある。ロック台１１７の中心部には、ピン孔１１８が前後方向へ外案内体１１４ａを貫通して設けてある。なお、内案内体１１４のうち外案内体１１４ａのピン孔１１８と通じる箇所には同径の通孔１１８ａが設けてある。
【００３２】
ロック台１１７の先端部（後端部）には、係合溝１１９がピン孔１１８と交わるように横方向へ全幅にわたり設けてある。
ピン孔１１８には、ロックピン１３が装着されている。ピン孔１１８は、奥側（図３で右側）が径大となっており、境界部には段部１１８ｂが設けてある。
【００３３】
また、ロックピン１３は、ピン孔１１８と同じく奥側が径大となっており、境界部には段部１３１が設けてある。ロックピン１３は、ピン孔１１８内でスライド可能であり、前記段部１１８ｂと段部１３１の間に介在させてあるコイルバネ１３２により奥方向へ付勢してある。
【００３４】
ロックピン１３の基端寄りには通孔１３４が設けてあり、通孔１３４にはリング１３３が回動できるように取り付けてある。なお、ロックピン１３は、リング１３３が奥に入って係合溝１１９の奥端に当たる位置で先端（奥端）が下部保持体１２の係合孔１２２に入って係合し、リング１３３が係合溝１１９から抜けてロック台１１７の先端に引っ掛けてある位置で先端が下部保持体１２の係合孔１２２から抜けるよう構成されている。
【００３５】
下部保持体１２は、前記上部保持体１１と組み合わせられる。
下部保持体１２は、上部保持体１１の前記案内溝１１５にスライド可能に差し込まれる後面板１２１を有している。後面板１２１は、長方形状に形成されており、その短手方向の幅は各案内溝１１５の奥端部間の幅より若干短く形成されている。また、後面板１２１の前面側の両端縁は所要の幅で約１／２の厚さに薄く形成してある。この段部１２０間の幅は、前記内案内体１１４の内端面間に入り摺動できるよう設定されている。
【００３６】
下部保持体１２の幅方向の端部寄りの薄い部分には、それぞれ六箇所に係合孔１２２が上下方向に等間隔で貫通して設けてある。両列の係合孔１２２は、両側でそれぞれ同じ高さになるよう設けてある。各係合孔１２２は、前記ロックピン１３が貫通できるようになっている。下部保持体１２は、これによって所要のスライド位置で上部保持体１１に固定される。
【００３７】
また、後面板１２１の後面両側には、前記各外案内体１１４ａの内端面に案内されてスライドできる制御部材１２３が設けてある。各制御部材１２３は、後方へ所要立ち上がり幅で突出して縦方向に互いに平行になるように設けてある。各制御部材１２３は、後面板１２１の上端縁のやや下方から下端部まで設けてあり、上下端部は角部が落とされて丸められている。
【００３８】
後面板１２１の下端部の両側には、前方向へ直角に固定部となる取付部材１２４がそれぞれ設けてある。この取付部材１２３と、後述する可動部となる開閉部材１４及びそれらに設けられる割り螺子孔１２７、１４４により螺子杆保持部（符号付与せず）が構成される。
【００３９】
各取付部材１２４の先部側には、厚み方向の中間部に、横方向に取付溝１２５がそれぞれ全幅にわたり設けてある。取付部材１２４の各厚み部分と取付溝１２５の厚み方向の寸法は同じである。また、各取付部材１２４の内側は、所要の幅で外側の部分よりやや前方へ突出して設けてある。この突出部分のほぼ中心部には軸孔（図では見えない）が上下の厚み部分を貫通して設けてある。
【００４０】
また、前記突出している各部分の外側には、割り螺子孔１２７と止めピン孔１２８が設けてある。割り螺子孔１２７は、各取付部材１２４の先端縁に、上下の厚み部分を貫通して半割りナット状に設けてある。止めピン孔１２８は、各割り螺子孔１２７の外側に同じく上下の厚み部分を貫通して設けてある。
【００４１】
各取付部材１２４の取付溝１２５には、開閉部材１４が前記軸孔に挿着される軸ピン１２９を介し回動可能に設けてある。
開閉部材１４は、取付溝１２５のうち軸孔が設けてある側に差し込まれる薄肉の回動中心片１４１を有している。回動中心片１４１のほぼ中心部には軸孔（図では見えない）が貫通して設けてある。
【００４２】
回動中心片１４１の先側には厚肉の停止片１４３が設けてある。停止片１４３の厚みは各取付部材１２４の全体の厚みと同じに設定してある。停止片１４３のうち取付部材１２４と当接する側の端縁には、前記割り螺子孔１２７と対応して同様の構造の割り螺子孔１４４が設けてある。割り螺子孔１２７、１４４は、合わさったときに通常の螺子孔またはナットと同様の機能を果たす。なお、符号１４５は、後述する固定ピン１４８をつなぐワイヤ（図示省略）を通す通孔である。
【００４３】
停止片１４３の先部横側には、取付溝１２５のうち止めピン孔１２８が設けてある側に差し込まれる薄肉の固定片１４６が設けてある。固定片１４６には、割り螺子孔１２７、１４４が合わさったときに、前記止めピン孔１２８と合うように止めピン孔１４７が貫通して設けてある。開閉部材１４を閉じて固定するときは、合わさった止めピン孔１２８、１４７に固定ピン１４８を挿通する。固定ピン１４８は、紛失防止のためワイヤで前記通孔１４５につながれている。
【００４４】
合わさった割り螺子孔１２７、１４４には、螺子杆２が螺合して装着される。螺子杆２は所要長さの螺子部２１を有し、その基端部に設けてある径大の停止部２２には棒状のハンドル２３が横方向に貫通し、貫通方向にスライド可能に設けてある。また、螺子部２１の先端部には、前記挟持板１１０と協働して取付箇所を挟む円板状の押圧体２４が取り付けてある。
【００４５】
なお、螺子杆２は、開閉部材１４を開いて割り螺子孔１２７、１４４との螺合を外し、軸線方向（長手方向）へ適当な位置まで移動させ、開閉部材１４を閉じて固定し、割り螺子孔１２７、１４４に螺合させるようにすれば、回さないでも締付方向にごく短時間でストロークを稼ぐことができる。
【００４６】
（作用）
図４は釣竿受具用ホルダーの第１の使用状態を示す説明図、
図５は釣竿受具用ホルダーの第２の使用状態を示す説明図である。
図１ないし図５を参照して、本発明に係る釣竿受具用ホルダーＡを船縁４に取り付ける場合を例にとり説明する。
【００４７】
まず、リング１３３を持ってロックピン１３を付勢力に抗して引き、下部保持体１２の係合孔１２２との係合を解除する。そして、リング１３３をロックピン１３の軸周方向へ回し、引き出した状態でロック台１１７の先端に引っ掛けておく（図３の想像線部分参照）。これにより、下部保持体１２は上部保持体１１に対し、案内溝１１５に沿ってスライドできるようになる。
【００４８】
船縁４の取付箇所の厚さに合わせて、下部保持体１２をスライドさせ、挟持板１１０と取付部材１２４の間隔を適当に調節する。通常は、取付箇所の厚さより、挟持板１１０と取付部材１２４の間隔を余裕をもって拡げて、ロックピン１３を係合孔１２２に係合するロック状態に戻し、間隔を固定する。
【００４９】
そして、螺子杆２を回して、その先端部の押圧体２４を取付箇所の表面（図４の場合では当て木６の表面、図５の場合では船縁４の側面）に押し付け、上部保持体１１の挟持板１１０と螺子杆２の押圧体２４で取付箇所の厚み部分をきつく挟むようにして釣竿受具用ホルダーＡを取り付ける（図４、図５参照）。
【００５０】
また、螺子杆２を回す手間をできるだけ省いて、更に短時間で取り付けることもできる。すなわち、挟持板１１０と取付部材１２４の間隔が取付箇所の厚さより相当に広いままで素早く的確に取り付けるには次のような手順で行う。
【００５１】
まず、固定ピン１４８を抜き、開閉部材１４を開いて、螺子杆２の割り螺子孔１２７、１４４に対する螺合を外し（図１、図２参照）、螺子杆２を締付方向（螺子部２１の軸線方向）へ移動させて押圧体２４を取付箇所の表面に当てる。
【００５２】
次に、開閉部材１４を閉じて固定ピン１４８で固定し、螺子部２１を割り螺子孔１２７、１４４で挟むようにして螺合させる。後は、螺子杆２を回せば、すぐに締め付けができる。このようにして、螺子杆２を回さないでも締付方向にストロークを稼ぐことができ、より短時間での取り付けが可能になる。
【００５３】
また、釣竿受具用ホルダーＡに取り付けられる釣竿受具３は、挟持板１１０に設けてある各螺子孔１１１と、各外案内体１１４ａに設けてある各螺子孔１１６のいずれにも取付台３０を介し取り付けることができる。挟持板１１０に取り付ける場合と外案内体１１４ａに取り付ける場合では、取付方向が９０°違っている。
【００５４】
つまり、取り付けられた釣竿受具用ホルダーＡの方向（向き）に応じて釣竿受具３の取付方向を選択することができるので、釣竿受具用ホルダーＡを図４に示すように縦に取り付けても、図５に示すよう横に取り付けても支障なく釣竿受具３を上方向に取り付けることができる。
【００５５】
図６は釣竿受具用ホルダーの他の実施の形態を構成する上部保持体の説明図で、（ａ）は背面図、（ｂ）は平面図、（ｃ）は側面図、
図７は釣竿受具用ホルダーの他の実施の形態の使用状態を示す説明図である。
なお、図において前記釣竿受具用ホルダーＡと同等または同一箇所には同一の符号を付して示し、構造について重複する説明は省略する。
【００５６】
釣竿受具用ホルダーＢ（図７参照）の上部保持体１１ａの各案内部材１１２に設けてある外案内体１１４ｂは、前記外案内体１１４ａと相違して後面に段差（厚みの異なる部分）は設けられておらず、同じ厚みに形成してある。また、両外案内体１１４ｂの下端部の後面間には、補強部材１５が渡して設けてある。補強部材１５の後面側の二箇所には、フック１５０が設けてある。各フック１５０には、例えばゴミ袋等を掛けておくことができ便利である。
【００５７】
各外案内体１１４ｂには、取付台３０を螺子で取り付けるための螺子孔１１６がそれぞれ四箇所ずつ上下方向に等間隔で合計八箇所に貫通して設けてある。
これによれば、使用者の立ち座りの姿勢や身長または体格に合わせて、釣竿受具３の高さ位置（図７のように取り付けた場合）または前後位置（図５のように取り付けた場合）を三段階（図６（ａ）、図７参照）に調節することができる。図７では、最も低い位置に取り付けてある。従って、使用者は楽な姿勢で釣りができるので、長時間の釣りをしても疲れにくい。
【００５８】
本実施の形態に係る上部保持体１１ａには設けられていないが、挟持板１１０に設けてある螺子孔１１１も同様に片側で三箇所以上設けて、釣竿受具３の前後位置（図４に示すように取り付けた場合。図５に示すように取り付けたときは高さ位置）を調節可能とすることもできる。
【００５９】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００６０】
【図１】本発明に係る釣竿受具用ホルダーの一実施の形態を示す正面側から見た分解斜視図。
【図２】釣竿受具用ホルダーの背面側から見た分解斜視図。
【図３】ロック部の構造を示す部分断面説明図。
【図４】釣竿受具用ホルダーの第１の使用状態を示す説明図。
【図５】釣竿受具用ホルダーの第２の使用状態を示す説明図。
【図６】釣竿受具用ホルダーの他の実施の形態を構成する上部保持体の説明図で、（ａ）は背面図、（ｂ）は平面図、（ｃ）は側面図。
【図７】釣竿受具用ホルダーの他の実施の形態の使用状態を示す説明図。
【符号の説明】
【００６１】
Ａ  釣竿受具用ホルダー
１  組み保持具
１１  上部保持体
１１０ 挟持板
１１１  螺子孔
１１２  案内部材
１１３  リブ
１１４  内案内体
１１４ａ  外案内体
１１５  案内溝
１１６  螺子孔
１１７  ロック台
１１８  ピン孔
１１８ａ  通孔
１１８ｂ  段部
１１９  係合溝
１２  下部保持体
１２０  段部
１２１  後面板
１２２  係合孔
１２３  制御部材
１２４  取付部材
１２５  取付溝
１２７  螺子孔
１２８  ピン孔
１２９  軸ピン
Ｒ  ロック部
１３  ロックピン
１３１  段部
１３２  コイルバネ
１３３  リング
１３４  通孔
１４  開閉部材
１４１  回動中心片
１４３  停止片
１４４  螺子孔
１４５  通孔
１４６  固定片
１４７  ピン孔
１４８  固定ピン
２  螺子杆
２１  螺子部
２２  停止部
２３  ハンドル
２４  押圧体
３  釣竿受具
３０  取付台
４  船縁
５  釣竿
Ｂ  釣竿受具用ホルダー
１１ａ  上部保持体
１１４ｂ  外案内体
１５  補強部材
１５０  フック
【図１】
2006101846.tif 000003
【図２】
2006101846.tif 000004
【図３】
2006101846.tif 000005
【図４】
2006101846.tif 000006
【図５】
2006101846.tif 000007
【図６】
2006101846.tif 000008
【図７】
2006101846.tif 000009